(57)【要約】【課題】  目的とする再生アドレスへのアクセスを高速化することができるデータ再生装置の提供。【解決手段】  データ再生装置（２０）は制御部（１）にて、スキップ再生指示の入力としてスキップボタン、又は逆スキップ再生指示の入力として逆スキップボタンのいずれが押圧されたかを監視する（Ｓ１１）。スキップボタンが押圧された場合には、スキップボタンが押圧された回数を計数し（Ｓ１２）、次いで映像データのＨＤＤ（１０）からの読み出しを、スキップボタンが押圧された回数だけスキップした等分割アドレスから行い、この等分割アドレスから映像データを再生する（Ｓ１３）。なお、等分割アドレスとは、映像データの総再生時間をｎ分割した時間に対応する物理アドレスである。【選択図】        図５
2005346890.tif 000002
【特許請求の範囲】
【請求項１】
記録媒体に記録してある音声及び／又は動画のデータを再生するデータ再生装置において、
データの記録開始アドレスから記録終了アドレスまでを連続して再生した場合に要する総再生時間を等分割した時間に対応する等分割アドレスを算出する算出手段と、
データを再生させるアドレスを、該データの再生に係る時間の経過方向へスキップさせるスキップ指示を受け付けるスキップ受付手段と、
該スキップ受付手段が前記スキップ指示を受け付けた場合、前記算出手段が算出した等分割アドレスへスキップして再生を開始する再生手段と
を備えることを特徴とするデータ再生装置。
【請求項２】
データを再生させるアドレスを、前記経過方向と逆方向へ逆スキップさせる逆スキップ指示を受け付ける逆スキップ受付手段を更に備え、
前記再生手段は、前記逆スキップ受付手段が前記逆スキップ指示を受け付けた場合、前記算出手段が算出した等分割アドレスへ逆スキップして再生を開始する手段を更に有する
ことを特徴とする請求項１に記載のデータ再生装置。
【請求項３】
前記スキップ受付手段及び逆スキップ受付手段が前記スキップ指示及び逆スキップ指示をそれぞれ受け付けた回数を計数する計数手段を更に備え、
前記再生手段は、前記スキップ受付手段又は逆スキップ受付手段が前記スキップ指示又は逆スキップ指示を受け付けた場合、前記計数手段が計数した回数だけ、前記算出手段が算出した等分割アドレスへスキップ又は逆スキップして再生を開始するようにしてある
ことを特徴とする請求項２に記載のデータ再生装置。
【請求項４】
前記スキップ受付手段及び逆スキップ受付手段はそれぞれ、前記スキップ指示及び逆スキップ指示を数値の入力にて受け付けるようにしてあり、
前記再生手段は、前記スキップ受付手段又は逆スキップ受付手段が前記スキップ指示又は逆スキップ指示を受け付けた場合、入力された数値に相当する回数だけ、前記算出手段が算出した等分割アドレスへスキップ又は逆スキップして再生を開始するようにしてある
ことを特徴とする請求項２に記載のデータ再生装置。
【請求項５】
前記総再生時間をｎ（ｎは２以上の整数）分割するｎ値を設定する設定手段を更に備え、
前記算出手段は、前記設定手段が設定したｎ値を用いて前記総再生時間をｎ分割した時間に対応する等分割アドレスを算出するようにしてある
ことを特徴とする請求項１乃至４のいずれかひとつに記載のデータ再生装置。
【請求項６】
記録媒体に記録してある音声及び／又は動画のデータを再生するデータ再生装置において、
データを再生させるアドレスを、該データの再生に係る時間の経過方向へスキップさせる間隔を設定するスキップ間隔設定手段と、
データを再生させるアドレスを、前記経過方向へスキップさせるスキップ指示を受け付けるスキップ受付手段と、
該スキップ受付手段が前記スキップ指示を受け付けた場合、前記スキップ間隔設定手段が設定した間隔だけスキップしたアドレスから再生を開始する再生手段と
を備えることを特徴とするデータ再生装置。
【請求項７】
データを再生させるアドレスを、前記経過方向と逆方向へ逆スキップさせる間隔を設定する逆スキップ間隔設定手段と、
データを再生させるアドレスを、前記経過方向と逆方向へ逆スキップさせる逆スキップ指示を受け付ける逆スキップ受付手段と
を更に備え、
前記再生手段は、前記逆スキップ受付手段が前記逆スキップ指示を受け付けた場合、前記逆スキップ間隔設定手段が設定した間隔だけ逆スキップしたアドレスから再生を開始する手段を更に有する
ことを特徴とする請求項６に記載のデータ再生装置。
【請求項８】
前記スキップ受付手段及び逆スキップ受付手段が前記スキップ指示及び逆スキップ指示をそれぞれ受け付けた回数を計数する計数手段を更に備え、
前記再生手段は、前記スキップ受付手段又は逆スキップ受付手段が前記スキップ指示又は逆スキップ指示を受け付けた場合、前記スキップ間隔設定手段又は逆スキップ間隔設定手段が設定した間隔に前記計数手段が計数した回数を乗算した結果の間隔だけスキップ又は逆スキップしたアドレスから再生を開始するようにしてある
ことを特徴とする請求項７に記載のデータ再生装置。
【請求項９】
前記スキップ受付手段及び逆スキップ受付手段はそれぞれ、前記スキップ指示及び逆スキップ指示を数値の入力にて受け付けるようにしてあり、
前記再生手段は、前記スキップ受付手段又は逆スキップ受付手段が前記スキップ指示又は逆スキップ指示を受け付けた場合、前記スキップ間隔設定手段又は逆スキップ間隔設定手段が設定した間隔に、入力された数値を乗算した結果の間隔だけスキップ又は逆スキップしたアドレスから再生を開始するようにしてある
ことを特徴とする請求項７に記載のデータ再生装置。
【請求項１０】
記録媒体に記録してある音声及び／又は動画のデータを再生するデータ再生装置において、
データを再生させるアドレスを、該データの再生に係る時間の経過方向へスキップさせるスキップ指示を受け付けるスキップ受付手段と、
該スキップ受付手段が前記スキップ指示を受け付けた場合、再生すべきアドレス区間を連続して再生した場合に要する再生時間を二分割した時間に対応するアドレスから再生を開始する再生手段と
を備えることを特徴とするデータ再生装置。
【請求項１１】
データを再生させるアドレスを、前記経過方向と逆方向へ逆スキップさせる逆スキップ指示を受け付ける逆スキップ受付手段を更に備え、
前記再生手段は、データの再生中又は再生休止中に前記逆スキップ受付手段が前記逆スキップ指示を受け付けた場合、記録開始アドレスから再生中のアドレス又は再生を休止したアドレスまでを連続して再生した場合に要する再生時間を二分割した時間に対応するアドレスから再生を開始する手段を更に有する
ことを特徴とする請求項１０に記載のデータ再生装置。
【請求項１２】
記録媒体に記録してある音声及び／又は動画のデータを再生するデータ再生装置において、
データの記録開始アドレスから記録終了アドレスまでを連続して再生した場合に要する総再生時間を表し、該総再生時間の任意の時点を指定することが可能なグラフ画像を作成する作成手段と、
該作成手段が作成したグラフ画像に基づいて、前記総再生時間の任意の時点の指定を受け付ける受付手段と、
該受付手段が受け付けた指定に応じた時点に対応するアドレスから再生を開始する再生手段と
を備えることを特徴とするデータ再生装置。
【発明の詳細な説明】
【技術分野】
【０００１】
本発明は、記録媒体に記録してあるデータを再生するデータ再生装置に関し、より詳細には、目的とするアドレスへのアクセスを高速化するデータ再生装置に関する。
【背景技術】
【０００２】
従来のデータ再生装置は、ハードディスク装置（以下、ＨＤＤという）に予め記録しておいたテレビジョン放送の映像データを再生することにより、データ再生装置に接続されたテレビにて映像を表示し、音声を出力する（例えば、特許文献１参照）。このような従来のデータ再生装置では一般に、操作部又はリモートコントロールユニット（以下、リモコンユニットという）に設けられた早送りボタン／早戻しボタンの押圧操作により、再生する物理アドレスを所望の物理アドレスへ進行／退行させてデータを再生することができる。
【０００３】
また、従来のデータ再生装置には、操作部又はリモコンユニットにＣＦ（コマーシャルフィルム）スキップボタンが設けられているものもある。ＣＦスキップボタンによる処理は、１回の押圧操作にて映像データの再生時間を３０秒又は１分程度スキップするように設定されているのが一般的である。よって、番組の再生中に広告の再生に変った時点で、ＣＦスキップボタンを複数回押圧操作することにより、広告の再生をスキップして番組の続きを素早く再生できる。なお、ＣＦスキップボタンは、機種によってはＣＭ（コマーシャルメッセージ）スキップボタンと称しているものもある。
【特許文献１】特開２００２−２６９８９９号公報
【発明の開示】
【発明が解決しようとする課題】
【０００４】
しかしながら、従来のデータ再生装置にあっては、早送り／早戻し処理では、その処理を解除する指示が与えられるまでの間は、一連の映像が通常の再生速度の２倍，４倍，…，１０倍等の速度で表示される。よって、処理速度が遅い程、比較的離れた物理アドレスへのアクセスに長時間を要する一方、処理速度が速い程、表示される映像の流れが速くなるため、使用者はその視認が困難となって適宜のタイミングで処理を解除する指示が与えられず、所望の物理アドレスへ容易かつ的確にアクセスすることが困難になるという問題がある。
【０００５】
また、ＣＦスキップボタンによる操作では、早送り処理とは異なり、映像データを再生させる物理アドレスをスキップできるものの、そのスキップ処理は時間にして精々３０秒又は１分程度であるため、比較的離れた物理アドレスへのスキップ処理として適用するには現実的でない。
【０００６】
本発明は斯かる問題に鑑みてなされたものであり、その目的とするところは、データの総再生時間を等分割した時間に対応する等分割アドレスを算出し、データを再生させるアドレスをスキップさせるスキップ指示を受け付ける都度、算出した等分割アドレス単位でスキップしたそのアドレスからデータを再生する構成とすることにより、所望のアドレスへ簡便かつ高速にアクセスすることができるデータ再生装置を提供することにある。
【０００７】
本発明の他の目的は、データを再生させるアドレスを逆スキップさせる逆スキップ指示を受け付ける都度、算出した等分割アドレス単位で逆スキップしたそのアドレスからデータを再生する構成とすることにより、操作性を向上することができるデータ再生装置を提供することにある。
【０００８】
本発明の他の目的は、スキップ指示／逆スキップ指示の受け付け回数を計数し、又はスキップ指示／逆スキップ指示を数値の入力にて受け付け、スキップ指示／逆スキップ指示を受け付けた場合に、計数した回数だけ、又は入力された数値と同数回だけ、算出した等分割アドレスへスキップ／逆スキップしたそのアドレスからデータを再生する構成とすることにより、所望のアドレスへのアクセスを更に高速化することができるデータ再生装置を提供することにある。
【０００９】
本発明の他の目的は、データの総再生時間をｎ分割するｎ値を設定する構成とすることにより、利便性を高めることができるデータ再生装置を提供することにある。
【００１０】
また、本発明の他の目的は、データを再生させるアドレスをスキップさせる間隔を設定し、そのスキップ指示を受け付ける都度、設定した間隔単位でスキップしたアドレスからデータを再生する構成とすることにより、所望のアドレスへ簡便かつ高速にアクセスすることができるデータ再生装置を提供することにある。
【００１１】
本発明の他の目的は、データを再生させるアドレスを逆スキップさせる間隔を設定し、その逆スキップ指示を受け付ける都度、設定した間隔単位で逆スキップしたアドレスからデータを再生する構成とすることにより、操作性を向上することができるデータ再生装置を提供することにある。
【００１２】
本発明の他の目的は、スキップ指示／逆スキップ指示の受け付け回数を計数し、又はスキップ指示／逆スキップ指示を数値の入力にて受け付け、スキップ指示／逆スキップ指示を受け付けた場合に、設定した間隔に、計数した回数又は入力された数値を乗算した結果の間隔だけスキップ／逆スキップしたアドレスからデータを再生する構成とすることにより、所望のアドレスへのアクセスを更に高速化することができるデータ再生装置を提供することにある。
【００１３】
また、本発明の他の目的は、スキップ指示を受け付ける都度、再生すべきアドレス区間の再生時間を二分割した時間に対応するアドレスからデータを再生する構成とすることにより、所望のアドレスへ簡便かつ高速にアクセスすることができるデータ再生装置を提供することにある。
【００１４】
本発明の他の目的は、データの再生中又は再生休止中に逆スキップ指示を受け付ける都度、記録開始アドレスから再生中のアドレス又は再生を休止したアドレスまでの再生時間を二分割した時間に対応するアドレスからデータを再生する構成とすることにより、操作性を向上することができるデータ再生装置を提供することにある。
【００１５】
また、本発明の更に他の目的は、データの総再生時間を表し、その任意の時点の指定が可能なグラフ画像を作成し、総再生時間における任意の時点の指定を、作成したグラフ画像を参照させて受け付け、受け付けた指定に応じた時点に対応するアドレスからデータを再生する構成とすることにより、所望のアドレスへ簡便かつ高速であるだけでなく、的確にアクセスすることができるデータ再生装置を提供することにある。
【課題を解決するための手段】
【００１６】
本発明に係るデータ再生装置は、記録媒体に記録してある音声及び／又は動画のデータを再生するデータ再生装置において、データの記録開始アドレスから記録終了アドレスまでを連続して再生した場合に要する総再生時間を等分割した時間に対応する等分割アドレスを算出する算出手段と、データを再生させるアドレスを、該データの再生に係る時間の経過方向へスキップさせるスキップ指示を受け付けるスキップ受付手段と、該スキップ受付手段が前記スキップ指示を受け付けた場合、前記算出手段が算出した等分割アドレスへスキップして再生を開始する再生手段とを備えることを特徴とする。
【００１７】
本発明にあっては、データの総再生時間を等分割した時間に対応するアドレスを算出し、スキップ指示を受け付ける。そして、スキップ指示を受け付けた場合、算出した等分割アドレスへスキップしてデータを再生する。
【００１８】
なお、ここでいうアドレスとは、例えば、ＨＤＤ又は光ディスク等では、データをディスクに記録する際にタイムスタンプ及びデータを記録する順番と対応付けられているディスク上の物理的な位置を示す物理アドレス（トラック番号及びセクタ（前者はサーフェイス番号も含む））が該当し、半導体メモリではアドレスそのものが該当し、磁気テープでは、モータの回動に伴って正／逆方向に巻回されて走行するテープの物理的な位置が該当する（以下、同様である）。
【００１９】
例えば、データの総再生時間を６０分とし、この総再生時間を１０等分する場合には、データの記録開始アドレスから６分毎の時間（記録終了アドレスを除く）、すなわち６分，１２分，…，４８分，５４分に対応する９個のアドレスが等分割アドレスとなる。
【００２０】
したがって、まだ再生されていない状態（すなわち再生対象のデータを選択している状態）で、スキップ指示を受け付けた場合には、記録開始アドレスからではなく、それより一気にスキップした６分に対応するアドレスからデータを再生する。言い換えれば、通常の再生を一旦開始させてからスキップさせるのではないため、通常の再生開始の指示が不要となり、操作が簡略化する。
【００２１】
一方、一旦再生された後の再生中の又は再生を休止したアドレスが例えば１５分に対応する状態で、スキップ指示を受け付けた場合には、１８分に対応するアドレスからデータを再生する。
【００２２】
以上のように、スキップ指示を受け付ける都度、近隣の等分割アドレスからのスキップ再生を行うため、所望のアドレスへのアクセスが簡便となり、高速化する。
【００２３】
本発明に係るデータ再生装置においては、データを再生させるアドレスを、前記経過方向と逆方向へ逆スキップさせる逆スキップ指示を受け付ける逆スキップ受付手段を更に備え、前記再生手段は、前記逆スキップ受付手段が前記逆スキップ指示を受け付けた場合、前記算出手段が算出した等分割アドレスへ逆スキップして再生を開始する手段を更に有することを特徴とする。
【００２４】
本発明にあっては、逆スキップ指示を受け付け、逆スキップ指示を受け付けた場合、算出した等分割アドレスへ逆スキップしてデータを再生する。
【００２５】
したがって、６０分の総再生時間を１０等分して等分割アドレスが算出されたデータに対し、一旦再生された後の再生中の又は再生を休止したアドレスが例えば４５分に対応する状態で、逆スキップ指示を受け付けた場合には、４２分に対応するアドレスからデータを再生する。
【００２６】
以上のように、逆スキップ指示を受け付ける都度、近隣の等分割アドレスからの逆スキップ再生を行うため、操作性が向上する。
【００２７】
本発明に係るデータ再生装置においては、前記スキップ受付手段及び逆スキップ受付手段が前記スキップ指示及び逆スキップ指示をそれぞれ受け付けた回数を計数する計数手段を更に備え、前記再生手段は、前記スキップ受付手段又は逆スキップ受付手段が前記スキップ指示又は逆スキップ指示を受け付けた場合、前記計数手段が計数した回数だけ、前記算出手段が算出した等分割アドレスへスキップ又は逆スキップして再生を開始するようにしてあることを特徴とする。
【００２８】
本発明にあっては、スキップ指示及び逆スキップ指示の受け付け回数を計数する。そして、スキップ指示又は逆スキップ指示を受け付けた場合に、計数した回数だけ、算出した等分割アドレスへスキップ又は逆スキップしてデータを再生する。
【００２９】
したがって、６０分の総再生時間を１０等分して等分割アドレスが算出されたデータに対し、まだ再生されていない状態で、スキップ指示を連続して５回受け付けた場合には、記録開始アドレスからではなく、それより一気にスキップした３０分に対応するアドレスからデータを再生する。
【００３０】
一方、一旦再生された後の再生中の又は再生を休止したアドレスが例えば１５分に対応する状態で、スキップ指示を連続して５回受け付けた場合には、４２分に対応するアドレスからデータを再生する。
【００３１】
また、一旦再生された後の再生中の又は再生を休止したアドレスが例えば４５分に対応する状態で、逆スキップ指示を連続して５回受け付けた場合には、１８分に対応するアドレスからデータを再生する。
【００３２】
以上のように、スキップ指示／逆スキップ指示の受け付け回数に応じ、より離隔した等分割アドレスからのスキップ再生／逆スキップ再生を行うため、所望のアドレスへのアクセスが更に高速化する。
【００３３】
本発明に係るデータ再生装置においては、前記スキップ受付手段及び逆スキップ受付手段はそれぞれ、前記スキップ指示及び逆スキップ指示を数値の入力にて受け付けるようにしてあり、前記再生手段は、前記スキップ受付手段又は逆スキップ受付手段が前記スキップ指示又は逆スキップ指示を受け付けた場合、入力された数値に相当する回数だけ、前記算出手段が算出した等分割アドレスへスキップ又は逆スキップして再生を開始するようにしてあることを特徴とする。
【００３４】
本発明にあっては、スキップ指示及び逆スキップ指示を数値の入力にて受け付ける。そして、スキップ指示又は逆スキップ指示を受け付けた場合に、入力された数値に相当する回数だけ、つまり前述したスキップ指示及び逆スキップ指示の受け付け回数を計数する場合と同様の回数だけ、算出した等分割アドレスへスキップ又は逆スキップしてデータを再生する。
【００３５】
よって、スキップ指示／逆スキップ指示の入力値に応じ、より離隔した等分割アドレスからのスキップ再生／逆スキップ再生を行うため、所望のアドレスへのアクセスが更に高速化する。
【００３６】
本発明に係るデータ再生装置においては、前記総再生時間をｎ（ｎは２以上の整数）分割するｎ値を設定する設定手段を更に備え、前記算出手段は、前記設定手段が設定したｎ値を用いて前記総再生時間をｎ分割した時間に対応する等分割アドレスを算出するようにしてあることを特徴とする。
【００３７】
本発明にあっては、データの総再生時間をｎ分割するｎ値を設定し、設定したｎ値を用いて総再生時間をｎ分割した時間に対応する等分割アドレスを算出する。
【００３８】
例えば、データの総再生時間に依存することなく、ｎ値を固定した場合には、総再生時間が短い／長い程、算出される等分割アドレスの間隔は短く／長くなるため、スキップ／逆スキップ間隔が小さく／大きく（時間にて表現すればスキップ時間が短く／長く）なる。また、データの総再生時間に応じてｎ値を変更する場合には、総再生時間が比較的長くてもスキップ／逆スキップ間隔が細分化される。これにより、目的に応じたスキップ／逆スキップ間隔、つまり等分割アドレスの配置位置が適宜決定され、利便性が高まる。
【００３９】
本発明に係るデータ再生装置は、記録媒体に記録してある音声及び／又は動画のデータを再生するデータ再生装置において、データを再生させるアドレスを、該データの再生に係る時間の経過方向へスキップさせる間隔を設定するスキップ間隔設定手段と、データを再生させるアドレスを、前記経過方向へスキップさせるスキップ指示を受け付けるスキップ受付手段と、該スキップ受付手段が前記スキップ指示を受け付けた場合、前記スキップ間隔設定手段が設定した間隔だけスキップしたアドレスから再生を開始する再生手段とを備えることを特徴とする。
【００４０】
本発明にあっては、データのアドレスをスキップさせる間隔を設定し、そのスキップ指示を受け付ける。そして、スキップ指示を受け付けた場合、設定した間隔だけスキップしたアドレスからデータを再生する。
【００４１】
例えば、スキップさせる間隔を時間に置換し、その時間を５分に設定する。したがって、再生されていない状態で、スキップ指示を受け付けた場合には、記録開始アドレスからではなく、それより一気にスキップした５分に対応するアドレスからデータを再生する。言い換えれば、通常の再生を一旦開始させてからスキップさせるのではないため、通常の再生開始の指示が不要となり、操作が簡略化する。
【００４２】
一方、一旦再生された後の再生中の又は再生を休止したアドレスが例えば１５分である状態で、スキップ指示を受け付けた場合には、２０分に対応するアドレスからデータを再生する。
【００４３】
以上のように、スキップ指示を受け付ける都度、設定した間隔単位のスキップ再生を行うため、所望のアドレスへのアクセスが簡便となり、高速化する。
【００４４】
加えて、スキップさせる間隔を設定するため、例えば、データの総再生時間に依存することなく、スキップさせる間隔を固定した場合には、総再生時間が短い／長い程、比較的離れたアドレス（例えば記録開始アドレス近傍から記録終了アドレス近傍）へのスキップが高速化／低速化する。また、データの総再生時間に応じてスキップさせる間隔を設定する場合には、総再生時間が比較的長くても比較的離れたアドレスへのスキップを高速に行える。これにより、目的に応じたスキップの程度が適宜決定され、利便性が高まる。
【００４５】
本発明に係るデータ再生装置においては、データを再生させるアドレスを、前記経過方向と逆方向へ逆スキップさせる間隔を設定する逆スキップ間隔設定手段と、データを再生させるアドレスを、前記経過方向と逆方向へ逆スキップさせる逆スキップ指示を受け付ける逆スキップ受付手段とを更に備え、前記再生手段は、前記逆スキップ受付手段が前記逆スキップ指示を受け付けた場合、前記逆スキップ間隔設定手段が設定した間隔だけ逆スキップしたアドレスから再生を開始する手段を更に有することを特徴とする。
【００４６】
本発明にあっては、データのアドレスを逆スキップさせる間隔を設定し、その逆スキップ指示を受け付ける。そして、逆スキップ指示を受け付けた場合、設定した間隔だけ逆スキップしたアドレスからデータを再生する。
【００４７】
例えば、逆スキップさせる間隔を時間に置換し、その時間を５分に設定する。したがって、一旦再生された後の再生中の又は再生を休止したアドレスが例えば４５分である状態で、逆スキップ指示を受け付けた場合には、４０分に対応するアドレスからデータを再生する。
【００４８】
以上のように、逆スキップ指示を受け付ける都度、設定した間隔単位の逆スキップ再生を行うため、操作性が向上する。
【００４９】
加えて、逆スキップさせる間隔を設定するため、例えば、データの総再生時間に依存することなく、逆スキップさせる間隔を固定した場合には、総再生時間が短い／長い程、比較的離れたアドレス（例えば記録終了アドレス近傍から記録開始アドレス近傍）へのスキップが高速化／低速化する。また、データの総再生時間に応じて逆スキップさせる間隔を設定する場合には、総再生時間が比較的長くても比較的離れたアドレスへの逆スキップを高速に行える。これにより、目的に応じた逆スキップの程度が適宜決定され、利便性が高まる。
【００５０】
本発明に係るデータ再生装置においては、前記スキップ受付手段及び逆スキップ受付手段が前記スキップ指示及び逆スキップ指示をそれぞれ受け付けた回数を計数する計数手段を更に備え、前記再生手段は、前記スキップ受付手段又は逆スキップ受付手段が前記スキップ指示又は逆スキップ指示を受け付けた場合、前記スキップ間隔設定手段又は逆スキップ間隔設定手段が設定した間隔に前記計数手段が計数した回数を乗算した結果の間隔だけスキップ又は逆スキップしたアドレスから再生を開始するようにしてあることを特徴とする。
【００５１】
本発明にあっては、スキップ指示及び逆スキップ指示の受け付け回数を計数する。そして、スキップ指示又は逆スキップ指示を受け付けた場合に、設定したスキップさせる間隔又は逆スキップさせる間隔に、計数した回数を乗算した結果の間隔（以下、スキップ総間隔又は逆スキップ総間隔という）だけスキップ又は逆スキップしたアドレスからデータを再生する。
【００５２】
例えば、スキップさせる間隔を時間に置換し、その時間を５分に設定する。したがって、再生されていない状態で、スキップ指示を連続して５回受け付けた場合には、スキップ総時間は２５分となり、記録開始アドレスからではなく、それより一気にスキップした２５分に対応するアドレスからデータを再生する。言い換えれば、通常の再生を一旦開始させてからスキップさせるのではないため、通常の再生開始の指示が不要となり、操作が簡略化する。
【００５３】
一方、一旦再生された後の再生中の又は再生を休止したアドレスが例えば１５分である状態で、スキップ指示を連続して５回受け付けた場合には、スキップ総時間は２５分であるため、４０分に対応するアドレスからデータを再生する。
【００５４】
また、逆スキップさせる間隔を時間に置換し、その時間を５分に設定する。したがって、一旦再生された後の再生中の又は再生を休止したアドレスが例えば４５分である状態で、逆スキップ指示を連続して５回受け付けた場合には、逆スキップ総時間は２５分であるため、２０分に対応するアドレスからデータを再生する。
【００５５】
以上のように、スキップ指示／逆スキップ指示の受け付け回数に応じ、より離隔したアドレスからのスキップ再生／逆スキップ再生を行うため、所望のアドレスへのアクセスが更に高速化する。
【００５６】
本発明に係るデータ再生装置においては、前記スキップ受付手段及び逆スキップ受付手段はそれぞれ、前記スキップ指示及び逆スキップ指示を数値の入力にて受け付けるようにしてあり、前記再生手段は、前記スキップ受付手段又は逆スキップ受付手段が前記スキップ指示又は逆スキップ指示を受け付けた場合、前記スキップ間隔設定手段又は逆スキップ間隔設定手段が設定した間隔に、入力された数値を乗算した結果の間隔だけスキップ又は逆スキップしたアドレスから再生を開始するようにしてあることを特徴とする。
【００５７】
本発明にあっては、スキップ指示及び逆スキップ指示を数値の入力にて受け付ける。そして、スキップ指示又は逆スキップ指示を受け付けた場合に、設定したスキップさせる間隔又は逆スキップさせる間隔に、入力された数値を乗算した結果の間隔、つまり前述したスキップ指示及び逆スキップ指示の受け付け回数を計数する場合と同様のスキップ総間隔又は逆スキップ総間隔だけスキップ又は逆スキップしたアドレスからデータを再生する。
【００５８】
よって、スキップ指示／逆スキップ指示の入力値に応じ、より離隔した等分割アドレスからのスキップ再生／逆スキップ再生を行うため、所望のアドレスへのアクセスが更に高速化する。
【００５９】
本発明に係るデータ再生装置は、記録媒体に記録してある音声及び／又は動画のデータを再生するデータ再生装置において、データを再生させるアドレスを、該データの再生に係る時間の経過方向へスキップさせるスキップ指示を受け付けるスキップ受付手段と、該スキップ受付手段が前記スキップ指示を受け付けた場合、再生すべきアドレス区間を連続して再生した場合に要する再生時間を二分割した時間に対応するアドレスから再生を開始する再生手段とを備えることを特徴とする。
【００６０】
本発明にあっては、スキップ指示を受け付け、スキップ指示を受け付けた場合、再生すべきアドレス区間を連続して再生した場合に要する再生時間を二分割した時間に対応するアドレスからデータを再生する。
【００６１】
例えば、総再生時間が６０分のデータに対し、まだ再生されていない状態で、スキップ指示を受け付けた場合には、再生すべきアドレス区間は０分に対応するアドレス（記録開始アドレス）から６０分に対応するアドレス（記録終了アドレス）までの区間であり、この区間を連続して再生した場合に要する再生時間を二分割した時間は３０分であるため、記録開始アドレスからではなく、それより一気にスキップした３０分に対応するアドレスからデータを再生する。言い換えれば、通常の再生を一旦開始させてからスキップさせるのではないため、通常の再生開始の指示が不要となり、操作が簡略化する。
【００６２】
一方、総再生時間が６０分のデータに対し、一旦再生された後の再生中の又は再生を休止したアドレスが例えば１０分に対応する状態で、スキップ指示を受け付けた場合には、再生すべきアドレス区間は、１０分に対応するアドレスから６０分に対応するアドレス（記録終了アドレス）までの区間であり、この区間を連続して再生した場合に要する再生時間を二分割した時間は３５分であるため、３５分に対応するアドレスからデータを再生する。
【００６３】
以上のように、スキップ指示を受け付ける都度、再生すべきアドレス区間の再生に係る時間の二分割単位のスキップ再生を行うため、所望のアドレス、特にデータの後半のアドレスへのアクセスが簡便となり、高速化する。
【００６４】
本発明に係るデータ再生装置においては、データを再生させるアドレスを、前記経過方向と逆方向へ逆スキップさせる逆スキップ指示を受け付ける逆スキップ受付手段を更に備え、前記再生手段は、データの再生中又は再生休止中に前記逆スキップ受付手段が前記逆スキップ指示を受け付けた場合、記録開始アドレスから再生中のアドレス又は再生を休止したアドレスまでを連続して再生した場合に要する再生時間を二分割した時間に対応するアドレスから再生を開始する手段を更に有することを特徴とする。
【００６５】
本発明にあっては、逆スキップ指示を受け付け、データの再生中又は再生休止中に逆スキップ指示を受け付けた場合、記録開始アドレスから再生中のアドレス又は再生を休止したアドレスまでを連続して再生した場合に要する再生時間を二分割した時間に対応するアドレスからデータを再生する。
【００６６】
したがって、総再生時間が６０分のデータに対し、一旦再生された後の再生中の又は再生を休止したアドレスが例えば４０分に対応する状態で、逆スキップ指示を受け付けた場合には、記録開始アドレスから再生中のアドレス又は再生を休止したアドレスまでを連続して再生した場合に要する再生時間を二分割した時間は２０分であるため、２０分に対応するアドレスからデータを再生する。
【００６７】
以上のように、再生中又は再生休止中に逆スキップ指示を受け付ける都度、記録開始アドレスから再生中のアドレス又は再生を休止したアドレスまでの再生に係る時間の二分割単位の逆スキップ再生を行うため、特にデータの前半のアドレスへの逆スキップ再生の操作性が向上する。
【００６８】
なお、まだ再生されていない状態において、通常の再生開始の指示を行うことなくデータの前半のアドレスから再生を行うには、スキップ指示及び逆スキップ指示をこの順に連続して行えばよい。例えば、総再生時間が６０分のデータに対し、スキップ指示及び逆スキップ指示を受付けた場合には、１５分に対応するアドレス（つまり全体の１／４＝０＋１／２−１／２2のアドレス）からデータを再生する。
【００６９】
本発明に係るデータ再生装置は、記録媒体に記録してある音声及び／又は動画のデータを再生するデータ再生装置において、データの記録開始アドレスから記録終了アドレスまでを連続して再生した場合に要する総再生時間を表し、該総再生時間の任意の時点を指定することが可能なグラフ画像を作成する作成手段と、該作成手段が作成したグラフ画像に基づいて、前記総再生時間の任意の時点の指定を受け付ける受付手段と、該受付手段が受け付けた指定に応じた時点に対応するアドレスから再生を開始する再生手段とを備えることを特徴とする。
【００７０】
本発明にあっては、データの総再生時間を表し、その任意の時点の指定が可能なグラフ画像を作成し、作成したグラフ画像に基づいて、総再生時間の任意の時点の指定を受け付ける。そして、受け付けた指定に応じた時点に対応するアドレスからデータを再生する。
【００７１】
作成したグラフ画像を、例えば画像を表示する表示手段にて表示した場合、使用者にデータの総再生時間（全体感）を視覚的に提示すると共に、使用者に所望の再生開始時点（時間）に対応するアドレスの指定を直接感覚的に行わせる。これにより、目的に応じたスキップ／逆スキップさせるアドレスが適宜決定され、所望のアドレスへのアクセスが簡便となり、高速かつ的確に行える。
【発明の効果】
【００７２】
本発明によれば、スキップ指示を受け付ける都度、近隣の等分割アドレスからのスキップ再生を行うことができるため、所望のアドレスへ簡便かつ高速にアクセスすることができる。特に、データの記録開始アドレスを基点にスキップ再生を行う場合には、通常の再生開始の指示を不要とすることができ、操作を簡略化することができる。
【００７３】
また、本発明によれば、逆スキップ指示を受け付ける都度、近隣の等分割アドレスからの逆スキップ再生を行うことができるため、操作性を向上することができる。
【００７４】
また、本発明によれば、スキップ指示／逆スキップ指示の受け付け回数に応じて、又はスキップ指示／逆スキップ指示の入力値に応じて、より離隔した等分割アドレスからのスキップ再生／逆スキップ再生を行うことができるため、所望のアドレスへのアクセスを更に高速化することができる。特に、データの記録開始アドレスを基点にスキップ再生を行う場合には、通常の再生開始の指示を不要とすることができ、操作を簡略化することができる。
【００７５】
また、本発明によれば、データの総再生時間をｎ分割するｎ値を設定することにより、目的に応じた等分割アドレスの配置位置を適宜決定することができるため、利便性を高めることができる。
【００７６】
また、本発明によれば、スキップ指示を受け付ける都度、設定した間隔単位のスキップ再生を行うことができるため、所望のアドレスへ簡便かつ高速にアクセスすることができる。特に、データの記録開始アドレスを基点にスキップ再生を行う場合には、通常の再生開始の指示を不要とすることができ、操作を簡略化することができる。しかも、スキップさせる間隔を設定しているため、目的に応じたスキップの程度を適宜決定することができ、よって利便性を高めることができる。
【００７７】
また、本発明によれば、逆スキップ指示を受け付ける都度、設定した間隔単位の逆スキップ再生を行うことができるため、操作性を向上することができる。しかも、逆スキップさせる間隔を設定しているため、目的に応じた逆スキップの程度を適宜決定することができ、よって利便性を高めることができる。
【００７８】
また、本発明によれば、スキップ指示／逆スキップ指示の受け付け回数に応じて、又はスキップ指示／逆スキップ指示の入力値に応じて、より離隔したアドレスからのスキップ再生／逆スキップ再生を行うことができるため、所望のアドレスへのアクセスを更に高速化することができる。特に、データの記録開始アドレスを基点にスキップ再生を行う場合には、通常の再生開始の指示を不要とすることができ、操作を簡略化することができる。
【００７９】
また、本発明によれば、スキップ指示を受け付ける都度、再生すべきアドレス区間の再生に係る時間の二分割単位のスキップ再生を行うことができるため、所望のアドレス、特にデータの後半のアドレスへ簡便かつ高速にアクセスすることができる。特に、データの記録開始アドレスを基点にスキップ再生を行う場合には、通常の再生開始の指示を不要とすることができ、操作を簡略化することができる。
【００８０】
また、本発明によれば、データの再生中又は再生休止中に逆スキップ指示を受け付ける都度、記録開始アドレスから再生中のアドレス又は再生を休止したアドレスまでの再生に係る時間の二分割単位の逆スキップ再生を行うことができるため、特にデータの前半のアドレスへの逆スキップ再生の操作性を向上することができる。加えて、まだ再生されていない状態において、スキップ指示及び逆スキップ指示をこの順に連続して行うことにより、通常の再生開始の指示を行うことなく、データの前半のアドレスから再生を行うことができる。
【００８１】
更に、本発明によれば、データの総再生時間を表し、その任意の時点の指定が可能なグラフ画像を作成するため、作成したグラフ画像を例えば表示手段に表示した場合には、使用者にデータの総再生時間を視覚的に提示することができると共に、使用者に所望の再生開始時点（時間）に対応するアドレスの指定を直接感覚的に行わせることができるため、所望のアドレスへ簡便かつ高速に、しかも的確にアクセスすることができる。
【発明を実施するための最良の形態】
【００８２】
以下に、本発明のデータ再生装置をテレビジョン放送の映像データ（音声データを含む動画データ）を記録／再生するビデオ装置に適用した場合の実施の形態について図面を用いて詳細に説明する。
【００８３】
（実施の形態１）
図１は本発明の実施の形態１に係るデータ再生装置２０の外観及び接続例を示す模式図である。データ再生装置２０は直方体状をなしており、正面中央部に液晶パネルからなる表示部３が、正面右方に装置を直接操作するための操作部４（図３参照）がそれぞれ設けられている。データ再生装置２０には、選局復調部７及び外部出力部１２（図２参照）を介して、アンテナ３０及びテレビ４０がそれぞれ接続されている。
【００８４】
図２は図１に示すデータ再生装置２０の構成を示すブロック図である。図において、１は装置全体の制御を行う制御部であり、ＭＰＵによって構成されている。制御部１はＲＯＭ２に格納してある制御プログラムに従って装置を構成するハードウェア各部の動作を制御する。表示部３は制御部１の制御に基づいて、装置の動作状態（例えば映像データの記録時間／再生時間のカウント、チャンネル及び時刻等）の表示を行う。
【００８５】
操作部４は、使用者が装置を操作するための各種のボタンを備え、使用者から種々の操作指示の入力をこれらのボタンにて受け付ける。図３に操作部４の構成例を示す。操作部４には、メニューボタン４０、チャンネル選択ボタン４１、映像データの記録ボタン４２、早戻しボタン４３、再生ボタン４４、早送りボタン４５、停止ボタン４６、一時停止（一時休止）ボタン４７、スキップボタン（スキップ受付手段）４８、及び逆スキップボタン（逆スキップ受付手段）４９が設けられている。
【００８６】
なお、チャンネル選択ボタン４１、スキップボタン４８及び逆スキップボタン４９は、ＲＯＭ２に格納してある各種メニューの内容を選択する上下左右ボタンとしても機能し、再生ボタン４４はメニューの内容を決定する決定ボタンとしても機能する。
【００８７】
リモコンユニット５は操作部７と同様の各種のボタン（図示せず）の他、決定ボタン、上下左右ボタン及びテンキー（図示せず）等を備え、使用者から種々の操作指示の入力をこれらのボタンにて受け付け、受け付けた指示情報を赤外線にてリモコン受信部６へ送信する。制御部１は、操作部４が受け付けた指示情報、及びリモコン受信部６がリモコンユニット５から受信した指示情報に基づいて、装置を構成するハードウェア各部の動作を制御する。
【００８８】
選局復調部７は制御部１の制御に基づいて、アンテナ３０が受信したテレビジョン放送のアナログの映像データを選局復調してＡ／Ｄ変換部８へ出力する。Ａ／Ｄ変換部８は制御部１の制御に基づいて、選局復調部７から入力されたアナログの映像データをＡ／Ｄ変換し、デジタルの映像データとして記録信号処理部９へ出力する。
【００８９】
記録信号処理部９は制御部１の制御に基づいて、Ａ／Ｄ変換部９から入力されたデジタルの映像データに圧縮符号化処理、誤り訂正符合の付加、及びフォーマット化を行ってからＨＤＤ１０へ出力する。
【００９０】
ＨＤＤ１０は制御部１の制御に基づいて、記録信号処理部９から入力された映像データを（プラッタに）記録すると共に、記録してある映像データの読み出しを行う。なお、データ再生装置２０はＨＤＤ１０を備える構成としたが、これに限らず、光ディスク（例えばＤＶＤ−Ｒ、ＤＶＤ−ＲＷ又はＤＶＤ−ＲＡＭ等）に映像データを記録する光ディスクドライブを備える構成としてもよい。
【００９１】
再生処理部１１は制御部１の制御に基づいて、ＨＤＤ１０が読み出した映像データを誤り訂正処理及び復号化伸張処理等した後、Ｄ／Ａ変換し、アナログの映像データとして外部出力部１２へ出力する。外部出力部１２はテレビ４０と接続され、再生処理部１２から入力されたアナログの映像データを制御部１の制御に基づいてテレビ４０へ出力する。テレビ４０は外部出力部１２から入力された映像データに基づく映像を表示し、音声を出力する。
【００９２】
また、ＲＯＭ２には制御プログラムの他、メニューデータ及び表示画面データ等の各種のデータも予め格納されている。制御部１は、映像データの記録及び再生に係る種々の処理が行われていない状態で、操作部４のメニューボタン４０又はリモコンユニット５のメニューボタンが押圧操作された場合、メニューデータ又は表示画面データをＲＯＭ２から適宜読み取り、読み取ったメニューデータ又は表示画面データを外部出力部１２へ出力する。
【００９３】
メニューデータには、予約録画情報を設定するためのデータ、及びスキップ指示／逆スキップ指示を受け付けた場合に、正方向（再生に係る時間方向）及び逆方向（再生に係る時間方向と逆方向）のスキップ時間を決定するためにＨＤＤ１０に記録してある映像データの総再生時間長をｎ分割するｎ値を設定するためのスキップ時間設定データ等が含まれる。表示画面データには、ＨＤＤ１０に記録してある映像データを一覧表示させるためのデータ、及びそのタイトル名を変更するためのデータ等が含まれる。
【００９４】
外部出力部１２はまた、制御部１から入力されたメニューデータ又は表示画面データをテレビ４０へ出力するため、テレビ４０は外部出力部１２から入力されたメニューデータ又は表示画面データに基づくメニュー画面又は表示画面を表示する。
【００９５】
図４に、テレビ４０に表示される本発明の実施の形態１に特徴のスキップ時間を決定するためのスキップ時間設定メニューの一例を示す。図に示すように、デフォルトでは、映像データの総再生時間を１０等分するよう、スキップ時間設定メニューには「１０」の数値が設定されている。この数値は、操作部４のチャンネルボタン４１、又はリモコンユニット５の上下ボタン若しくはテンキーの押圧操作にて増減して変更するため、適宜の分割値（ｎ値）を設定することができ、正方向及び逆方向へのスキップ時間（スキップ間隔）を任意に設定することができる。
【００９６】
以上の如き構成の本発明の実施の形態１に係るデータ再生装置２０の制御部１による映像データのスキップ再生処理及び逆スキップ再生処理の手順を図５のフローチャートを用いて説明する。
【００９７】
なお、処理対象の映像データは総再生時間がｍ分とし、この総再生時間をｎ等分するよう設定されているものとして説明する。したがって、この場合の映像データのＨＤＤ１０におけるプラッタ上の等分割アドレスは、記録開始アドレスから、記録終了アドレスを除くｍ／ｎ分毎の時間に対応する（ｎ−１）個の物理アドレス（タイムスタンプ及び映像データを記録する順番と対応付けられているサーフェイス番号、トラック番号及びセクタ）が該当する。
【００９８】
まず制御部１は、スキップ再生指示の入力としてスキップボタン（操作部４のスキップボタン４８、若しくはリモコンユニット５のスキップボタン）、又は逆スキップ再生指示の入力として逆スキップボタン（操作部４の逆スキップボタン４９、若しくはリモコンユニット５の逆スキップボタン）のいずれが押圧されるかを監視する（Ｓ１１）。
【００９９】
ステップＳ１１においてスキップボタン又は逆スキップボタンがいずれも押圧されない場合には、制御部１はこれらのボタンの押圧の監視を続行する。
【０１００】
ステップＳ１１においてスキップボタンが押圧された場合には、制御部１は、スキップボタンが押圧された回数を計数し（Ｓ１２）、次いで映像データのＨＤＤ１０からの読み出しを、スキップボタンが押圧された回数だけスキップした等分割アドレス（物理アドレス）から行い、この等分割アドレスから映像データを再生する（Ｓ１３）。
【０１０１】
具体的には、映像データの再生開始前に（つまり再生対象の映像データが選択され、まだ再生されていない状態で）、スキップボタンが例えば１回／連続して５回押圧された場合には、記録開始アドレスからではなく、それより一気にスキップした（ｍ／ｎ）分／（５ｍ／ｎ）分に対応する等分割アドレスから映像データを再生する。これに伴い、テレビ４０には（ｍ／ｎ）分／（５ｍ／ｎ）分からの映像が表示され、音声が出力される。
【０１０２】
また、再生中又は再生休止中（一時停止中又はリジューム機能が作動している状態の再生停止中）に、つまり一旦再生された後の再生中の又は再生を休止した物理アドレスが（２ｍ／ｎ）分及び（３ｍ／ｎ）分の間の時間に対応する状態で、スキップボタンが例えば１回／連続して５回押圧された場合には、（３ｍ／ｎ）分／（７ｍ／ｎ）分に対応する等分割アドレスから映像データを再生する。これに伴い、テレビ４０には（３ｍ／ｎ）分／（７ｍ／ｎ）分からの映像が表示され、音声が出力される。
【０１０３】
続いて制御部１は、映像データの再生が完了したか否かを判定する（Ｓ１４）。再生が完了しないと判定した場合（Ｓ１４：ＮＯ）には、制御部１は映像データの再生を継続しつつ、ステップＳ１１へ移行して以降の処理を繰り返す。一方、再生が完了したと判定した場合（Ｓ１４：ＹＥＳ）には、制御部１は処理を終了する。
【０１０４】
また、ステップＳ１１において逆スキップボタンが押圧された場合には、制御部１は、映像データの再生開始前に逆スキップボタンが押圧されたか否かを判定する（Ｓ１５）。
【０１０５】
ステップＳ１５において映像データの再生開始前に逆スキップボタンが押圧されたと判定した場合（Ｓ１５：ＹＥＳ）には、制御部１は処理を終了する。
【０１０６】
一方、ステップＳ１５において映像データの再生開始前に逆スキップボタンが押圧されたのでないと判定した場合（Ｓ１５：ＮＯ）には、制御部１は、逆スキップボタンが押圧された回数を計数し（Ｓ１６）、次いで映像データのＨＤＤ１０からの読み出しを、逆スキップボタンが押圧された回数だけ逆スキップした等分割アドレスから行い、この等分割アドレスから映像データを再生する（Ｓ１７）。
【０１０７】
具体的には、一旦再生された後の再生中の又は再生を休止した物理アドレスが（７ｍ／ｎ）分及び（８ｍ／ｎ）分の間の時間に対応する状態で、逆スキップボタンが例えば１回／連続して５回押圧された場合には、（７ｍ／ｎ）分／（３ｍ／ｎ）分に対応する等分割アドレスから映像データを再生する。これに伴い、テレビ４０には（７ｍ／ｎ）分／（３ｍ／ｎ）分からの映像が表示され、音声が出力される。
【０１０８】
ステップＳ１７の処理の後、制御部１はステップＳ１４へ移行して以降の処理を繰り返す。
【０１０９】
なお、以上のスキップ再生（ステップＳ１３）又は逆スキップ再生（ステップＳ１７）を行った後、操作部４の早送りボタン４５／早戻しボタン４３、又はリモコンユニット５の早送りボタン／早戻しボタンの通常の押圧操作により、再生を開始する物理アドレスを微調整することができることは勿論である。
【０１１０】
また、本実施の形態においては、スキップ再生処理及び逆スキップ再生処理をスキップボタン及び逆スキップボタンの押圧回数を計数し、計数した回数に応じて等分割アドレス単位毎のスキップ再生及び逆スキップ再生を行う構成としたが、これに限らず、スキップボタン又は逆スキップボタンを押圧した後に続いて、リモコンユニット５のテンキーにて数値を入力することにより、入力された数値に応じて等分割アドレス単位毎のスキップ再生及び逆スキップ再生を行う構成としてもよい。
【０１１１】
（実施の形態２）
本発明の実施の形態２に係るデータ再生装置の外観及び構成は、実施の形態１と同様であり、スキップ再生処理及び逆スキップ再生処理が異なる。以下、これについて説明する。
【０１１２】
図６に、テレビ４０に表示される本発明の実施の形態２に特徴のスキップ時間を決定するためのスキップ時間設定メニューの一例を示す。図に示すように、デフォルトでは、映像データの再生を開始する物理アドレスを、５分間隔でスキップ／逆スキップするよう、スキップ時間設定メニューにはそれぞれ「５」の数値が設定されている。この数値は、操作部４のチャンネルボタン４１、又はリモコンユニット５の上下ボタン若しくはテンキーの押圧操作にて増減して変更するため、正方向及び逆方向へのスキップ時間（スキップ間隔）をそれぞれ任意に設定することができる。
【０１１３】
以下、本発明の実施の形態２に係るデータ再生装置２０の制御部１による映像データのスキップ再生処理び逆スキップ再生処理の手順を図７のフローチャートを用いて説明する。なお、正方向及び逆方向へのスキップ時間はそれぞれ、α分及びβ分に設定されているものとして説明する。
【０１１４】
まず制御部１は、スキップ再生指示の入力としてスキップボタン（操作部４のスキップボタン４８、若しくはリモコンユニット５のスキップボタン）、又は逆スキップ再生指示の入力として逆スキップボタン（操作部４の逆スキップボタン４９、若しくはリモコンユニット５の逆スキップボタン）のいずれが押圧されるかを監視する（Ｓ２１）。
【０１１５】
ステップＳ２１においてスキップボタン又は逆スキップボタンがいずれも押圧されない場合には、制御部１はこれらのボタンの押圧の監視を続行する。
【０１１６】
ステップＳ２１においてスキップボタンが押圧された場合には、制御部１は、スキップボタンが押圧された回数を計数し（Ｓ２２）、次いで映像データのＨＤＤ１０からの読み出しを、スキップ総時間（＝スキップ時間×スキップボタンの押圧回数）に相当する間隔だけスキップした物理アドレスから行い、この物理アドレスから映像データを再生する（Ｓ２３）。
【０１１７】
具体的には、映像データの再生開始前にスキップボタンが例えば１回／連続して５回押圧された場合には、スキップ総時間はα分／５α分であるため、記録開始アドレスからではなく、それより一気にスキップしたα分／５α分に対応する物理アドレスから映像データを再生する。これに伴い、テレビ４０にはα分／５α分からの映像が表示され、音声が出力される。
【０１１８】
また、一旦再生された後の再生中の又は再生を休止した物理アドレスが（ｔ1 ）分に対応する状態で、スキップボタンが例えば１回／連続して５回押圧された場合には、スキップ総時間はα分／５α分であるため、（ｔ1 ＋α）分／（ｔ1 ＋５α）分に対応する物理アドレスから映像データを再生する。これに伴い、テレビ４０には（ｔ1 ＋α）分／（ｔ1 ＋５α）分からの映像が表示され、音声が出力される。
【０１１９】
続いて制御部１は、映像データの再生が完了したか否かを判定する（Ｓ２４）。再生が完了しないと判定した場合（Ｓ２４：ＮＯ）には、制御部１は映像データの再生を継続しつつ、ステップＳ２１へ移行して以降の処理を繰り返す。一方、再生が完了したと判定した場合（Ｓ２４：ＹＥＳ）には、制御部１は処理を終了する。
【０１２０】
また、ステップＳ２１において逆スキップボタンが押圧された場合には、制御部１は、映像データの再生開始前に逆スキップボタンが押圧されたか否かを判定する（Ｓ２５）。
【０１２１】
ステップＳ２５において映像データの再生開始前に逆スキップボタンが押圧されたと判定した場合（Ｓ２５：ＹＥＳ）には、制御部１は処理を終了する。
【０１２２】
一方、ステップＳ２５において映像データの再生開始前に逆スキップボタンが押圧されたのでないと判定した場合（Ｓ２５：ＮＯ）には、制御部１は、逆スキップボタンが押圧された回数を計数し（Ｓ２６）、次いで映像データのＨＤＤ１０からの読み出しを、逆スキップ総時間（＝逆スキップ時間×逆スキップボタンの押圧回数）に相当する間隔だけ逆スキップした物理アドレスから行い、この物理アドレスから映像データを再生する（Ｓ２７）。
【０１２３】
具体的には、一旦再生された後の再生中の又は再生を休止した物理アドレスが（ｔ2 ）分に対応する状態で、逆スキップボタンが例えば１回／連続して５回押圧された場合には、逆スキップ総時間はβ分／５β分であるため、（ｔ2 −β）分／（ｔ2 −５β）分に対応する物理アドレスから映像データを再生する。これに伴い、テレビ４０には（ｔ2 −β）分／（ｔ2 −５β）分からの映像が表示され、音声が出力される。
【０１２４】
ステップＳ２７の処理の後、制御部１はステップＳ２４へ移行して以降の処理を繰り返す。
【０１２５】
なお、以上のスキップ再生（ステップＳ２３）又は逆スキップ再生（ステップＳ２７）を行った後、操作部４の早送りボタン４５／早戻しボタン４３、又はリモコンユニット５の早送りボタン／早戻しボタンの通常の押圧操作により、再生を開始する物理アドレスを微調整することができることは勿論である。
【０１２６】
また、本実施の形態においては、スキップ再生処理及び逆スキップ再生処理をスキップボタン及び逆スキップボタンの押圧回数を計数し、計数した回数に応じ、設定した間隔毎のスキップ再生及び逆スキップ再生を行う構成としたが、これに限らず、スキップボタン又は逆スキップボタンを押圧した後に続いて、リモコンユニット５のテンキーにて数値を入力することにより、入力された数値に応じ、設定した間隔毎のスキップ再生及び逆スキップ再生を行う構成としてもよい。
【０１２７】
（実施の形態３）
本発明の実施の形態３に係るデータ再生装置の外観及び構成は、実施の形態１と同様であり、実施の形態２を含め、スキップ再生処理及び逆スキップ再生処理が異なる。以下、これについて説明する。
【０１２８】
図８は本発明の実施の形態３に係るデータ再生装置２０の制御部１による映像データのスキップ再生処理及び逆スキップ再生処理の手順を示すフローチャートである。なお、処理対象の映像データは総再生時間がｒ分とする。
【０１２９】
まず制御部１は、スキップ再生指示の入力としてスキップボタン（操作部４のスキップボタン４８、若しくはリモコンユニット５のスキップボタン）、又は逆スキップ再生指示の入力として逆スキップボタン（操作部４の逆スキップボタン４９、若しくはリモコンユニット５の逆スキップボタン）のいずれが押圧されるかを監視する（Ｓ３１）。
【０１３０】
ステップＳ３１においてスキップボタン又は逆スキップボタンがいずれも押圧されない場合には、制御部１はこれらのボタンの押圧の監視を続行する。
【０１３１】
ステップＳ３１においてスキップボタンが押圧された場合には、制御部１は、スキップボタンが押圧された回数を計数し（Ｓ３２）、次いで映像データのＨＤＤ１０からの読み出しを、再生すべき物理アドレス区間の再生時間を二分割した時間に対応する物理アドレスから行い、この物理アドレスから映像データを再生する（Ｓ３３）。
【０１３２】
具体的には、映像データの再生開始前にスキップボタンが例えば１回／連続して２回押圧された場合には、再生すべき物理アドレス区間の再生時間を二分割した時間は（ｒ／２）分／（３ｒ／４）分であるため、記録開始アドレスからではなく、それより一気にスキップした（ｒ／２）分／（３ｒ／４）分に対応する物理アドレスから映像データを再生する。これに伴い、テレビ４０には（ｒ／２）分／（３ｒ／４）分からの映像が表示され、音声が出力される。
【０１３３】
また、一旦再生された後の再生中の又は再生を休止した物理アドレスが（ｔ3 ）分に対応する状態で、スキップボタンが例えば１回／連続して２回押圧された場合には、再生すべき物理アドレス区間の再生時間を二分割した時間は（ｒ−ｔ3 ）／２分／３（ｒ−ｔ3 ）／４分であるため、（ｒ−ｔ3 ）／２分／３（ｒ−ｔ3 ）／４分に対応する物理アドレスから映像データを再生する。これに伴い、テレビ４０には（ｒ−ｔ3 ）／２分／３（ｒ−ｔ3 ）／４分からの映像が表示され、音声が出力される。
【０１３４】
続いて制御部１は、映像データの再生が完了したか否かを判定する（Ｓ３４）。再生が完了しないと判定した場合（Ｓ３４：ＮＯ）には、制御部１は映像データの再生を継続しつつ、ステップＳ３１へ移行して以降の処理を繰り返す。一方、再生が完了したと判定した場合（Ｓ３４：ＹＥＳ）には、制御部１は処理を終了する。
【０１３５】
また、ステップＳ３１において逆スキップボタンが押圧された場合には、制御部１は、映像データの再生開始前に逆スキップボタンが押圧されたか否かを判定する（Ｓ３５）。
【０１３６】
ステップＳ３５において映像データの再生開始前に逆スキップボタンが押圧されたと判定した場合（Ｓ３５：ＹＥＳ）には、制御部１は処理を終了する。
【０１３７】
一方、ステップＳ３５において映像データの再生開始前に逆スキップボタンが押圧されたのでないと判定した場合（Ｓ３５：ＮＯ）には、制御部１は、逆スキップボタンが押圧された回数を計数し（Ｓ３６）、次いで映像データのＨＤＤ１０からの読み出しを、記録開始物理アドレスから再生中の物理アドレス又は再生を休止した物理アドレスまでの再生時間を二分割した時間に対応する物理アドレスから行い、この物理アドレスから映像データを再生する（Ｓ３７）。
【０１３８】
具体的には、再生中の又は再生を休止した物理アドレスが（ｔ4 ）分に対応する状態で、逆スキップボタンが例えば１回／連続して２回押圧された場合には、記録開始物理アドレスから再生中の物理アドレス又は再生を休止した物理アドレスまでの再生時間を二分割した時間は（ｔ4 ）／２分／（ｔ4 ）／４分であるため、（ｔ4 ）／２分／（ｔ4 ）／４分に対応する物理アドレスから映像データを再生する。これに伴い、テレビ４０には（ｔ4 ）／２分／（ｔ4 ）／４分からの映像が表示され、音声が出力される。
【０１３９】
ステップＳ３７の処理の後、制御部１はステップＳ３４へ移行して以降の処理を繰り返す。
【０１４０】
ここで、まだ再生されていない状態において、通常の再生開始の指示を行うことなく、映像データの前半の物理アドレスから再生を行うには、スキップ指示及び逆スキップ指示をこの順に連続して行えばよい。よって、総再生時間がｒ分のデータに対し、スキップ指示及び逆スキップ指示をそれぞれこの順に１回ずつ受付けた場合には、ｒ／４分に対応する物理アドレス（つまり全体の１／４＝０＋１／２−１／２2の物理アドレス）から映像データを再生することができる。
【０１４１】
なお、以上のスキップ再生（ステップＳ３３）又は逆スキップ再生（ステップＳ３７）を行った後、操作部４の早送りボタン４５／早戻しボタン４３、又はリモコンユニット５の早送りボタン／早戻しボタンの通常の押圧操作により、再生を開始する物理アドレスを微調整することができることは勿論である。
【０１４２】
（実施の形態４）
本発明の実施の形態４に係るデータ再生装置の外観及び構成は、実施の形態１と同様であり、実施の形態２，３を含め、スキップ再生処理及び逆スキップ再生処理が異なる。以下、これについて説明する。
【０１４３】
ＲＯＭ２には、ＨＤＤ１０に記録してある映像データの総再生時間を表すグラフ画像を作成するためのグラフ画像作成データが予め格納してある。制御部１は、映像データの再生中又は再生休止中に、操作部４のメニューボタン４０又はリモコンユニット５のメニューボタンが押圧操作された場合、再生中の又は再生を休止した映像データの総再生時間を表す帯状のグラフ画像を作成し、作成したグラフ画像を外部出力部１２へ出力する。これにより、テレビ４０の画面の所定の位置（例えば、中央又は上方等）に、図９に示すような帯状のグラフ画像が表示される。
【０１４４】
図９（ａ）には、総再生時間が６０分の映像データに対し、再生中の又は再生を休止した時間が１５分の時点でメニューボタンが押圧された場合のグラフ画像が示されている。グラフ画像の左側には映像データの記録開始アドレスを時間にて表すカウンタ「０」が、右側には映像データの記録終了アドレスを時間にて表すカウンタ「０１：００：００（時：分：秒）」がそれぞれ示されている。
【０１４５】
グラフ画像の上側には、メニューボタンが押圧された時点の時間を示すカウンタ「００：１５：００」が下向きの三角印と共に示されおり、また、グラフ画像には、メニューボタンが押圧された時点（１５分）に分割線が示されると共に、その時点（１５分）以前の部分に斜線が示されている。
【０１４６】
グラフ画像の下側には、映像データの再生を開始する物理アドレスを、１５分に対応する物理アドレスを基点に正方向（再生に係る時間方向）／逆方向（再生に係る時間方向と逆方向）へスキップさせるために、カウンタ「００：１５：００」と共に、スキップ指定時点（時間）としての上向きの三角印が示されている。このスキップ指定時点の位置は、スキップボタン（受付手段）／逆スキップボタン（受付手段）の押圧操作により、正方向／逆方向へ移動すると共に、カウンタの数値が増／減し、グラフ画像には、スキップ指定時点の位置に分割線が示される（図９（ｂ）／（ｃ）参照）。
【０１４７】
なお、本発明の実施の形態４に係るデータ再生２０は、映像データに応じて作成するグラフ画像を帯グラフとしたが、これに限らず、円グラフとしてもよい。
【０１４８】
以下、本発明の実施の形態４に係るデータ再生装置の制御部１による映像データのスキップ再生処理及び逆スキップ再生処理の手順を図１０のフローチャートを用いて説明する。
【０１４９】
まず制御部１は、スキップ再生指示又は逆スキップ指示の入力として、映像データの再生中又は再生休止中に、メニューボタン（操作部４のメニューボタン４０、又はリモコンユニット５のメニューボタン）の押圧を監視する（Ｓ４１）。メニューボタンが押圧されない場合（Ｓ４１：ＮＯ）には、制御部１は押圧の監視を続行する。
【０１５０】
一方、メニューボタンが押圧された場合（Ｓ４１：ＹＥＳ）には、制御部１は、映像データのグラフ画像を作成し（Ｓ４２）、次いで作成したグラフ画像を外部出力部１２へ転送する（Ｓ４３）。これにより、グラフ画像がテレビ４０に表示される（例えば図９（ａ）参照）。
【０１５１】
続いて制御部１は、スキップボタン（操作部４のスキップボタン４８若しくはリモコンユニット５のスキップボタン）、又は逆スキップボタン（操作部４の逆スキップボタン４９若しくはリモコンユニット５の逆スキップボタン）のいずれが押圧されたかを判定する（Ｓ４４）。
【０１５２】
ステップＳ４４においてスキップボタンが押圧されたと判定した場合には、制御部１は、グラフ画像のスキップ指定時点の位置を正方向へ移動する（Ｓ４５）（例えば図９（ｂ）参照）。一方、ステップＳ４４において逆スキップボタンが押圧されたと判定した場合には、制御部１は、グラフ画像のスキップ指定時点の位置を逆方向へ移動する（Ｓ４６）（例えば図９（ｃ）参照）。
【０１５３】
ステップＳ４５又はＳ４６の処理の後、制御部１は、スキップ再生又は逆スキップ再生の指示の入力として、再生ボタン（操作部４の再生ボタン４４、又はリモコンユニット５の再生ボタン）が押圧されたか否かを判定する（Ｓ４７）。
【０１５４】
再生ボタンが押圧されないと判定した場合（Ｓ４７：ＮＯ）には、制御部１はステップＳ４４へ移行して以降の処理を繰り返す。一方、再生ボタンが押圧されたと判定した場合（Ｓ４７：ＹＥＳ）には、制御部１は、グラフ画像の外部出力部１２への転送を終了する（Ｓ４８）。
【０１５５】
続いて制御部１は、映像データのＨＤＤ１０からの読み出しを、スキップ指定時点に対応する物理アドレスから行い、この物理アドレスから映像データを再生する（Ｓ４９）。これにより、テレビ４０にはスキップ指定時点からの映像が表示され、音声が出力される。
【０１５６】
次に制御部１は、映像データの再生が完了したか否かを判定する（Ｓ５０）。再生が完了しないと判定した場合（Ｓ５０：ＮＯ）には、制御部１は映像データの再生を継続しつつ、ステップＳ４１へ移行して以降の処理を繰り返す。一方、再生が完了したと判定した場合（Ｓ５０：ＹＥＳ）には、制御部１は処理を終了する。
【０１５７】
ここで、以上のスキップ再生又は逆スキップ再生（ステップＳ４９）を行った後、操作部４の早送りボタン４５／早戻しボタン４３、又はリモコンユニット５の早送りボタン／早戻しボタンの通常の押圧操作により、再生を開始する物理アドレスを更に微調整することができることは勿論である。
【０１５８】
なお、前述した実施の形態１乃至４においては、本発明のデータ再生装置を、記録機能を備えるビデオ装置に適用したが、これに限らず、記録機能を備えない再生専用の装置（例えばＤＶＤ再生装置）に適用してもよい。
【０１５９】
また、前述した実施の形態１乃至４においては、本発明のデータ再生装置を、映像の表示機能及び音声の出力機能を備えず、再生したテレビジョン放送の映像データに係る映像の表示及び音声の出力を、接続されたテレビ４０にて行わせるビデオ装置に適用したが、これに限らず、映像の表示機能及び音声の出力機能を備える装置に適用してもよい。
【０１６０】
更に、前述した実施の形態１乃至４においては、本発明のデータ再生装置を、テレビジョン放送の映像データ（音声データを含む動画データ）を記録／再生するビデオ装置に適用したが、これに限らず、音声データを記録／再生する装置（例えばＩＣレコーダ）に適用してもよく、動画データを記録／再生する装置（例えばデジタルカメラ又は携帯電話等）に適用してもよい。
【図面の簡単な説明】
【０１６１】
【図１】本発明の実施の形態１に係るデータ再生装置の外観及び接続例を示す模式図である。
【図２】図１に示すデータ再生装置の構成を示すブロック図である。
【図３】操作部の構成例を示す図である。
【図４】本発明の実施の形態１に特徴のスキップ時間を決定するためのスキップ時間設定メニューの一例を示す図である。
【図５】本発明の実施の形態１に係るデータ再生装置の制御部による映像データのスキップ再生処理及び逆スキップ再生処理の手順を示すフローチャートである。
【図６】本発明の実施の形態２に特徴のスキップ時間を決定するためのスキップ時間設定メニューの一例を示す図である。
【図７】本発明の実施の形態２に係るデータ再生装置の制御部による映像データのスキップ再生処理及び逆スキップ再生処理の手順を示すフローチャートである。
【図８】本発明の実施の形態３に係るデータ再生装置の制御部による映像データのスキップ再生処理及び逆スキップ再生処理の手順を示すフローチャートである。
【図９】総再生時間が６０分の映像データに対して作成したグラフ画像をテレビに表示した例を示す図である。
【図１０】本発明の実施の形態４に係るデータ再生装置の制御部による映像データのスキップ再生処理及び逆スキップ再生処理の手順を示すフローチャートである。
【符号の説明】
【０１６２】
１  制御部
２  ＲＯＭ
４  操作部
５  リモコンユニット
１０  ＨＤＤ（ハードディスク装置）
１１  再生処理部
２０  データ再生装置
４８  スキップボタン
４９  逆スキップボタン
【図１】
2005346890.tif 000003
【図２】
2005346890.tif 000004
【図３】
2005346890.tif 000005
【図４】
2005346890.tif 000006
【図５】
2005346890.tif 000007
【図６】
2005346890.tif 000008
【図７】
2005346890.tif 000009
【図８】
2005346890.tif 000010
【図９】
2005346890.tif 000011
【図１０】
2005346890.tif 000012